(57)【要約】【課題】ユーザが視聴したウェブコンテンツの内容を正確に取得することを可能とする。【解決手段】端末装置１０は、ウェブコンテンツを計測サーバ２０に送信するために実行されるタグを含むウェブコンテンツを、ウェブサーバ３０から受信する端末受信処理部と、端末受信処理部によって受信されるウェブコンテンツを表示する端末表示処理部と、タグを実行し、端末表示処理部によって表示されるウェブコンテンツを計測サーバ２０に送信する端末送信処理部とを具備し、計測サーバ２０は、端末装置１０の端末送信処理部によって送信されるウェブコンテンツを受信するサーバ受信処理部を具備する。【選択図】図１
2011081596.tif 000002
【特許請求の範囲】
【請求項１】
ウェブコンテンツをウェブサーバから受信し表示する端末装置と、前記端末装置における前記ウェブコンテンツの取得状況を計測する計測サーバとを有する通信システムであって、
前記端末装置は、
前記ウェブコンテンツを前記計測サーバに送信するために実行されるタグを含む前記ウェブコンテンツを、前記ウェブサーバから受信する端末受信処理部と、
前記端末受信処理部によって受信される前記ウェブコンテンツを表示する端末表示処理部と
前記タグを実行し、前記端末表示処理部によって表示される前記ウェブコンテンツを前記計測サーバに送信する端末送信処理部とを具備し、
前記計測サーバは、
前記端末装置の前記端末送信処理部によって送信される前記ウェブコンテンツを受信するサーバ受信処理部を具備することを特徴とする通信システム。
【請求項２】
ウェブコンテンツをウェブサーバから受信し表示するとともに、前記ウェブコンテンツを、ウェブコンテンツの取得状況を計測する計測サーバへ送信する端末装置であって、
前記ウェブコンテンツを前記計測サーバに送信するために実行されるタグを含む前記ウェブコンテンツを、前記ウェブサーバから受信する端末受信処理部と、
前記端末受信処理部によって受信される前記ウェブコンテンツを表示する端末表示処理部と、
前記タグを実行し、前記端末表示処理部によって表示される前記ウェブコンテンツを前記計測サーバに送信する端末送信処理部とを具備することを特徴とする端末装置。
【請求項３】
前記ウェブコンテンツは、前記ウェブサーバから受信されるタイミングによって変化する請求項２に記載の端末装置。
【請求項４】
前記端末送信処理部は、
ｈｔｍｌによって記載される前記ウェブコンテンツにおいて、ｂｏｄｙタグによって特定される情報を取得し、
前記ウェブコンテンツ内にｉｆｒａｍｅタグを記載し、
前記ｉｆｒａｍｅタグ内にｆｏｒｍタグを記載し、
前記ｆｏｒｍタグのｍｅｔｈｏｄ属性をＰＯＳＴ又はＧＥＴに設定し、
前記ｆｏｒｍタグ内に取得した前記情報を記載し、
前記ｉｆｒａｍｅタグ内の前記ｆｏｒｍタグ内に記載した前記情報を前記ＰＯＳＴ又は前記ＧＥＴに対応するコマンドによって送信し、
前記ｉｆｒａｍｅタグと前記ｉｆｒａｍｅタグ内の記載の全てを削除する請求項２又は３に記載の端末装置。
【請求項５】
前記端末送信処理部は、
ｈｔｍｌによって記載される前記ウェブコンテンツにおいて、ｂｏｄｙタグによって特定される情報を取得し、
前記ウェブコンテンツ内にｉｆｒａｍｅタグを記載し、
前記ｉｆｒａｍｅタグ内にａタグを記載し、
前記ａタグのｈｒｅｆ属性に前記計測サーバのＵＲＬを設定し、
前記ｈｒｅｆ属性のＵＲＬパラメータに取得した前記情報を設定し、
前記ＵＲＬパラメータに設定した前記情報を前記ａタグのｍｅｔｈｏｄ属性であるＧＥＴに対応するコマンドによって送信し、
前記ｉｆｒａｍｅタグと前記ｉｆｒａｍｅタグ内の記載の全てを削除する請求項２又は３に記載の端末装置。
【請求項６】
ウェブコンテンツをウェブサーバから受信し表示するとともに、前記ウェブコンテンツを、ウェブコンテンツの取得状況を計測する計測サーバへ送信する端末装置における通信方法であって、
前記ウェブコンテンツを前記計測サーバに送信するために実行されるタグを含む前記ウェブコンテンツを、前記ウェブサーバから受信するステップと、
前記ウェブコンテンツを表示するステップと、
前記タグを実行し、表示される前記ウェブコンテンツを前記計測サーバに送信するステップとを具備することを特徴とする通信方法。
【発明の詳細な説明】
【技術分野】
【０００１】
本発明は、ウェブコンテンツを取得するための通信システム、端末装置及び端末装置における通信方法に関する。
【背景技術】
【０００２】
近年、個人又はグループによって、日々更新される日記等の情報を配信するブログ等のウェブサイトの運営が数多く行われている。
【０００３】
ウェブサイトにおける日記等のウェブコンテンツの視聴を希望するユーザは、ウェブサイトにおける各ウェブコンテンツを特定するＵＲＬにアクセスする。
【０００４】
そこで、ユーザがアクセスしたＵＲＬを監視することにより、特定のウェブコンテンツへのアクセス履歴を作成し、その視聴回数及び視聴率を第三者が外部から正確に測定することができる技術が発明されている（例えば、特許文献１参照）。
【先行技術文献】
【特許文献】
【０００５】
【特許文献１】特開２００２−２０７６６２号公報
【発明の概要】
【発明が解決しようとする課題】
【０００６】
上述した技術では、ウェブコンテンツのＵＲＬが用いられているため、同一のＵＲＬにおけるウェブコンテンツの内容が固定的なものであれば、そのＵＲＬにアクセスすることにより、ユーザが視聴したウェブコンテンツと同一の内容を取得することが可能である。
【０００７】
しかしながら、ブログ等はその内容が日記等であり、同一のＵＲＬにおけるウェブコンテンツの内容が頻繁に更新される場合には、そのウェブコンテンツのＵＲＬにアクセスしたとしても、ユーザが視聴したウェブコンテンツと同一の内容を取得することができない可能性が高い。
【０００８】
また、同一のＵＲＬにおけるウェブコンテンツの内容が固定的なものであるとしても、ウェブサイトから削除された場合は、ユーザが視聴したウェブコンテンツと同一の内容を取得することはできない。
【０００９】
上記問題点に鑑み、ユーザが視聴したウェブコンテンツの内容を正確に取得することが可能な通信システム、端末装置及び端末装置における通信方法を提供することを目的とする。
【課題を解決するための手段】
【００１０】
上述した課題を解決するために、本発明は以下のような特徴を有している。
【００１１】
本発明の特徴は、ウェブコンテンツをウェブサーバ（ウェブサーバ３０）から受信し表示する端末装置（端末装置１０）と、前記端末装置における前記ウェブコンテンツの取得状況を計測する計測サーバ（計測サーバ２０）とを有する通信システム（通信システム１）であって、前記端末装置は、前記ウェブコンテンツを前記計測サーバに送信するために実行されるタグを含む前記ウェブコンテンツを、前記ウェブサーバから受信する端末受信処理部（端末受信処理部１１２）と、前記端末受信処理部によって受信される前記ウェブコンテンツを表示する端末表示処理部（端末表示処理部１１４）と、前記タグを実行し、前記端末表示処理部によって表示される前記ウェブコンテンツを前記計測サーバに送信する端末送信処理部（端末送信処理部１１６）とを具備し、前記計測サーバは、前記端末装置の前記端末送信処理部によって送信される前記ウェブコンテンツを受信するサーバ受信処理部（サーバ受信処理部２１２）を具備することを要旨とする。
【００１２】
このような通信システムによれば、端末装置によって受信されたウェブコンテンツに含まれるウェブコンテンツを計測サーバに送信するためのタグが、端末装置によって実行されることにより、計測サーバはユーザが視聴したウェブコンテンツの内容を正確に取得することが可能である。
【００１３】
本発明の特徴は、ウェブコンテンツをウェブサーバから受信し表示するとともに、前記ウェブコンテンツを、ウェブコンテンツの取得状況を計測する計測サーバへ送信する端末装置であって、前記ウェブコンテンツを前記計測サーバに送信するために実行されるタグを含む前記ウェブコンテンツを、前記ウェブサーバから受信する端末受信処理部と、前記端末受信処理部によって受信される前記ウェブコンテンツを表示する端末表示処理部と前記タグを実行し、前記端末表示処理部によって表示される前記ウェブコンテンツを前記計測サーバに送信する端末送信処理部とを具備することを要旨とする。
【００１４】
このような端末装置によれば、受信したウェブコンテンツに含まれる、ウェブコンテンツを計測サーバに送信するためのタグが実行されることにより、計測サーバにユーザが視聴したウェブコンテンツの内容を正確に送信することが可能である。
【００１５】
本発明の特徴は、前記ウェブコンテンツは、前記ウェブサーバから受信されるタイミングによって変化することを要旨とする。
【００１６】
このような端末装置によれば、ウェブコンテンツの内容がウェブサーバから受信されるタイミングによって変化しても、計測サーバにユーザが視聴した時点のウェブコンテンツの内容を正確に送信することが可能である。
【００１７】
本発明の特徴は、前記端末送信処理部は、ｈｔｍｌによって記載される前記ウェブコンテンツにおいて、ｂｏｄｙタグによって特定される情報を取得し、前記ウェブコンテンツ内にｉｆｒａｍｅタグを記載し、前記ｉｆｒａｍｅタグ内にｆｏｒｍタグを記載し、前記ｆｏｒｍタグのｍｅｔｈｏｄ属性をＰＯＳＴ又はＧＥＴに設定し、前記ｆｏｒｍタグ内に取得した前記情報を記載し、前記ｉｆｒａｍｅタグ内の前記ｆｏｒｍタグ内に記載した前記情報を前記ＰＯＳＴ又は前記ＧＥＴに対応するコマンドによって送信し、前記ｉｆｒａｍｅタグと前記ｉｆｒａｍｅタグ内の記載の全てを削除することを要旨とする。
【００１８】
このような端末装置によれば、計測サーバにユーザが視聴したウェブコンテンツの内容を正確に送信することが可能である。
【００１９】
本発明の特徴は、前記端末送信処理部は、ｈｔｍｌによって記載される前記ウェブコンテンツにおいて、ｂｏｄｙタグによって特定される情報を取得し、前記ウェブコンテンツ内にｉｆｒａｍｅタグを記載し、前記ｉｆｒａｍｅタグ内にａタグを記載し、前記ａタグのｈｒｅｆ属性に前記計測サーバのＵＲＬを設定し、前記ｈｒｅｆ属性のＵＲＬパラメータに取得した前記情報を設定し、前記ＵＲＬパラメータに設定した前記情報を前記ａタグのｍｅｔｈｏｄ属性であるＧＥＴに対応するコマンドによって送信し、前記ｉｆｒａｍｅタグと前記ｉｆｒａｍｅタグ内の記載の全てを削除することを要旨とする。
【００２０】
本発明の特徴は、ウェブコンテンツをウェブサーバから受信し表示するとともに、前記ウェブコンテンツを、ウェブコンテンツの取得状況を計測する計測サーバへ送信する端末装置における通信方法であって、前記ウェブコンテンツを前記計測サーバに送信するために実行されるタグを含む前記ウェブコンテンツを、前記ウェブサーバから受信するステップと、前記ウェブコンテンツを表示するステップと、前記タグを実行し、表示される前記ウェブコンテンツを前記計測サーバに送信するステップとを具備することを要旨とする。
【発明の効果】
【００２１】
本発明によれば、ユーザが視聴したウェブコンテンツの内容を正確に取得することが可能となる。
【図面の簡単な説明】
【００２２】
【図１】本発明の実施形態に係る通信システムの全体概略構成図である。
【図２】本発明の実施形態に係る端末装置の構成図である。
【図３】本発明の実施形態に係る計測サーバの構成図である。
【図４】本発明の実施形態に係る端末装置の第１の動作を示すフローチャートである。
【図５】本発明の実施形態に係る端末装置の第２の動作を示すフローチャートである。
【図６】本発明の実施形態に係る端末装置の第３の動作を示すフローチャートである。
【発明を実施するための形態】
【００２３】
次に、図面を参照して、本発明の実施形態を説明する。具体的には、（１）通信システムの全体概略構成、（２）端末装置及び計測サーバの構成、（３）端末装置の動作、（４）作用・効果、（５）その他の実施形態について説明する。以下の実施形態における図面の記載において、同一又は類似の部分には同一又は類似の符号を付している。
【００２４】
（１）通信システムの構成
図１は、本発明の実施形態に係る通信システム１の全体概略構成図である。
【００２５】
図１に示すように、通信システム１は、端末装置１０と、計測サーバ２０と、ウェブサーバ３０と、インターネット４０とを含む。
【００２６】
端末装置１０は、インターネット４０を介して、ウェブサーバ３０にウェブコンテンツを要求し、ウェブサーバ３０からウェブコンテンツを受信して、表示する。更に、端末装置１０は、インターネット４０を介して、当該ウェブコンテンツを計測サーバ２０に送信する。
【００２７】
計測サーバ２０は、インターネット４０を介して、端末装置１０からウェブコンテンツを受信し、当該端末装置１０におけるウェブコンテンツの取得状況を計測する。具体的には、計測サーバ２０は、端末装置１０からのウェブコンテンツに含まれる文字列毎に、当該文字列の出現回数を集計する。
【００２８】
ウェブサーバ３０は、インターネット４０を介して、端末装置１０からリクエストされたウェブコンテンツを端末装置１０に送信する。
【００２９】
（２）端末装置及び計測サーバの構成
図２は、本発明の実施形態に係る端末装置１０の構成図である。
【００３０】
図２に示す端末装置１０は、ユーザが希望するウェブサイトにおけるウェブコンテンツの視聴に用いられるものである。端末装置１０は、例えばパーソナルコンピュータである。端末装置１０は、制御部１１０、通信部１２０、モニタ１３０、操作部１４０及び記憶部１５０を含む。
【００３１】
制御部１１０は、例えばＣＰＵによって構成され、端末装置１０が具備する各種機能を制御する。
【００３２】
通信部１２０は、計測サーバ２０及びウェブサーバ３０との間で、インターネットを介した通信を行う。
【００３３】
操作部１３０は、テンキーやファンクションキーなどによって構成され、ユーザの操作内容を入力するために用いられるインタフェースである。また、操作部１３０は、モニタ１４０に表示された文字列などを選択したりするポインティングデバイスであるマウスも含まれる。
【００３４】
モニタ１４０は、制御部１１０を介して受信した画像を表示したり、操作内容を表示したりする。
【００３５】
記憶部１５０は、例えばメモリによって構成され、端末装置１０における制御などに用いられる各種情報を記憶する。
【００３６】
制御部１１０は、端末受信処理部１１２、端末表示処理部１１４及び端末送信処理部１１６を含む。
【００３７】
端末受信処理部１１２は、ウェブサーバ３０からウェブコンテンツを受信する。具体的には、まず、ユーザが、操作部１３０を用いて、視聴を希望するウェブコンテンツのＵＲＬを直接入力する、又は検索ウェブサイトの選択画面より視聴を希望するウェブコンテンツを選択した場合、端末受信処理部１１２は、通信部１２０を介してウェブサーバ３０にウェブコンテンツの視聴をリクエストする。ウェブサーバ３０は、このリクエストに対応するウェブコンテンツを端末装置１０に送信する。端末受信処理部１１２は、通信部１２０を介してウェブコンテンツと当該ウェブコンテンツに含まれる実行可能なタグとを受信する。なお実行可能なタグについては後述する。
【００３８】
端末表示処理部１１４は、端末受信処理部１１２が受信したウェブコンテンツをモニタ１４０に表示する。
【００３９】
端末送信処理部１１６は、端末受信処理部１１２が受信し、端末表示処理部１１４がモニタ１４０に表示したウェブコンテンツに含まれる実行可能なタグを実行することにより、当該ウェブコンテンツを、通信部１２０を介して計測サーバ２０に送信する。
【００４０】
実行可能なタグとは、具体的には、ｈｔｍｌで記述されるウェブコンテンツに埋め込まれる、ＪａｖａＳｃｒｉｐｔであり、ウェブブラウザなどによって当該ウェブコンテンツが表示される場合や、ユーザがウェブブラウザなどによって表示された画面に対してリンクをクリックするなど何らか操作を行った場合に実行される。なお、本発明の実施形態における実行可能なタグの処理内容については、図５のフローチャートに基づき後述する。
【００４１】
図３は、本発明の実施形態に係る計測サーバ２０の構成図である。
【００４２】
図３に示す計測サーバ２０は、携帯端末１０のユーザが視聴するウェブコンテンツを携帯端末１０から受信するものである。計測サーバ２０は、制御部２１０、通信部２２０、記憶部２３０を含む。
【００４３】
制御部２１０は、例えばＣＰＵによって構成され、計測サーバ２０が具備する各種機能を制御する。
【００４４】
通信部２２０は、携帯端末１０との間で、インターネットを介した通信を行う。
【００４５】
記憶部２３０は、例えばメモリによって構成され、計測サーバ２０における制御などに用いられる各種情報を記憶する。
【００４６】
制御部２１０は、サーバ受信処理部２１２を含む。
【００４７】
サーバ受信処理部２１２は、携帯端末１０の端末送信処理部１１６が送信したウェブコンテンツを、通信部２２０を介して受信する。
【００４８】
（３）端末装置の動作
次に、端末装置１０の動作を説明する。図４及び図５は、端末装置１０の動作を示すフローチャートである。
【００４９】
まず、図４を用いて、端末装置１０の動作について説明する。
【００５０】
ステップＳ１１０において、端末受信処理部１１２は、ユーザがＵＲＬを指定することにより視聴をリクエストしたウェブコンテンツと当該ウェブコンテンツに含まれるＪａｖａＳｃｒｉｐｔとを、ウェブサーバ３０から通信部１２０を介して受信する。なお、当該ウェブコンテンツは、ウェブサーバ３０から受信されるタイミングによって変化する場合がある。
【００５１】
ステップＳ１２０において、端末表示処理部１１４は、端末受信処理部１１２が受信したウェブコンテンツをモニタ１４０に表示する。
【００５２】
ステップＳ１３０において、端末送信処理部１１６は、端末受信処理部１１２が受信し、端末表示処理部１１４がモニタ１４０に表示したウェブコンテンツに含まれるＪａｖａＳｃｒｉｐｔを実行することにより、当該ウェブコンテンツを、通信部１２０を介して計測サーバ２０に送信する。なお、ステップＳ１３０は、ステップＳ１２０と同時又はステップＳ１２０の前に実行されても良い。
【００５３】
次に図５を用いて、端末装置１０の動作のうち、ステップＳ１３０について詳細に説明する。
【００５４】
ステップＳ１３０１において、端末送信処理部１１６は、端末受信処理部１１２が受信し、端末表示処理部１１４がモニタ１４０に表示した、ｈｔｍｌによって記載されたウェブコンテンツのｂｏｄｙタグによって特定される情報Ａを取得する。
【００５５】
ステップＳ１３０３において、端末送信処理部１１６は、当該ウェブコンテンツ内にｉｆｒａｍｅタグを記載する。
【００５６】
ステップＳ１３０５において、端末送信処理部１１６は、ステップＳ１３０３において記載したｉｆｒａｍｅタグ内にｆｏｒｍタグを記載する。
【００５７】
ステップＳ１３０７において、端末送信処理部１１６は、ステップＳ１３０５において記載したｆｏｒｍタグの属性であるｍｅｔｈｏｄ属性をＰＯＳＴ又はＧＥＴに設定する。  ステップＳ１３０９において、端末送信処理部１１６は、ステップＳ１３０５において記載したｆｏｒｍタグ内に、ステップＳ１３０１において取得した情報Ａを記載する。なお、ステップＳ１３０９は、ステップＳ１３０７の前に実行されても良い。
【００５８】
ステップＳ１３１１において、端末送信処理部１１６は、ステップＳ１３０７において設定された、ｆｏｒｍタグのｍｅｔｈｏｄ属性であるＰＯＳＴ又はＧＥＴに対応するコマンドを実行することにより、ステップＳ１３０９においてｆｏｒｍタグ内に記載した情報Ａを計測サーバ２０に送信する。なお、ｍｅｔｈｏｄ属性をＧＥＴに設定した場合は、所定の文字数以上は送信しない。
【００５９】
ステップＳ１３１３において、端末送信処理部１１６は、ステップＳ１３０３乃至ステップＳ１３０９において当該ウェブコンテンツ内に記載又は設定したｉｆｒａｍｅタグ及びｉｆｒａｍｅタグ内の記載又は設定の全てを削除する。
【００６０】
次に図６を用いて、端末装置１０の動作のうち、ステップＳ１３０について他の例を詳細に説明する。
【００６１】
ステップＳ１３２１において、端末送信処理部１１６は、端末受信処理部１１２が受信し、端末表示処理部１１４がモニタ１４０に表示した、ｈｔｍｌによって記載されたウェブコンテンツのｂｏｄｙタグによって特定される情報Ａを取得する。
【００６２】
ステップＳ１３２３において、端末送信処理部１１６は、当該ウェブコンテンツ内にｉｆｒａｍｅタグを記載する。
【００６３】
ステップＳ１３２５において、端末送信処理部１１６は、ステップＳ１３２３において記載したｉｆｒａｍｅタグ内にａタグを記載する。
【００６４】
ステップＳ１３２７において、端末送信処理部１１６は、ステップＳ１３２５において記載したａタグの属性であるｈｒｅｆ属性に計測サーバ２０のＵＲＬを設定する。
【００６５】
ステップＳ１３２９において、端末送信処理部１１６は、ステップＳ１３２７において設定したｈｒｅｆ属性のＵＲＬパラメータに、ステップＳ１３２１において取得した情報Ａを設定する。
【００６６】
ステップＳ１３３１において、端末送信処理部１１６は、ａタグのｍｅｔｈｏｄ属性であるＧＥＴに対応するコマンドを実行することにより、ステップＳ１３２９においてＵＲＬパラメータに設定した情報Ａを計測サーバ２０に送信する。
【００６７】
ステップＳ１３３３において、端末送信処理部１１６は、ステップＳ１３２３乃至ステップＳ１３２９において当該ウェブコンテンツ内に記載又は設定したｉｆｒａｍｅタグ及びｉｆｒａｍｅタグ内の記載又は設定の全てを削除する。
【００６８】
（４）作用・効果
本発明の実施形態において、端末装置１０は、ウェブサーバ３０から受信したウェブコンテンツに含まれるＪａｖａＳｃｒｉｐｔを実行することにより、当該ウェブコンテンツを計測サーバ２０に送信する。
【００６９】
このような端末装置１０によれば、ユーザが視聴したウェブコンテンツの内容を正確に取得することができる。
【００７０】
（５）その他の実施形態
上記のように、本発明は実施形態によって記載したが、この開示の一部をなす論述及び図面はこの発明を限定するものであると理解すべきではない。この開示から当業者には様々な代替実施形態、実施例及び運用技術が明らかとなる。
【００７１】
上述した実施形態では、ｈｔｍｌ及びＪａｖａＳｃｒｉｐｔを用いて説明したが、同様の処理が可能な他の言語においても、本発明を適用することができる。
【００７２】
このように本発明は、ここでは記載していない様々な実施形態等を包含するということを理解すべきである。したがって、本発明はこの開示から妥当な特許請求の範囲の発明特定事項によってのみ限定されるものである。
【産業上の利用可能性】
【００７３】
本発明の通信システム、端末装置及び端末装置における通信方法は、ユーザが視聴したウェブコンテンツの内容を正確に取得することが可能であり、通信システム、端末装置及び端末装置における通信方法として有用である。
【符号の説明】
【００７４】
１０…端末装置、２０…計測サーバ、３０…ウェブサーバ、４０…インターネット、１１０…制御部、１１２…端末受信処理部、１１４…端末表示処理部、１１６…端末送信処理部、１２０…通信部、１３０…操作部、１４０…モニタ、１５０…記憶部、２１０…制御部、２１２…サーバ受信処理部、２２０…通信部、２３０…記憶部
【図１】
2011081596.tif 000003
【図２】
2011081596.tif 000004
【図３】
2011081596.tif 000005
【図４】
2011081596.tif 000006
【図５】
2011081596.tif 000007
【図６】
2011081596.tif 000008
【手続補正書】
【提出日】平成23年1月19日(2011.1.19)
【手続補正１】
【補正対象書類名】特許請求の範囲
【補正対象項目名】全文
【補正方法】変更
【補正の内容】
【特許請求の範囲】
【請求項１】
ウェブコンテンツをウェブサーバから受信し表示する端末装置と、前記端末装置における前記ウェブコンテンツの取得状況を計測する計測サーバとを有する通信システムであって、
前記端末装置は、
前記ウェブコンテンツを前記計測サーバに送信するために実行されるタグを含む前記ウェブコンテンツを、前記ウェブサーバから受信する端末受信処理部と、
前記端末受信処理部によって受信される前記ウェブコンテンツを表示する端末表示処理部と
前記タグを実行し、前記端末表示処理部によって表示される前記ウェブコンテンツを前記計測サーバに送信する端末送信処理部とを具備し、
前記計測サーバは、
前記端末装置の前記端末送信処理部によって送信される前記ウェブコンテンツを受信するサーバ受信処理部を具備することを特徴とする通信システム。
【請求項２】
ウェブコンテンツをウェブサーバから受信し表示するとともに、前記ウェブコンテンツを、ウェブコンテンツの取得状況を計測する計測サーバへ送信する端末装置であって、
前記ウェブコンテンツを前記計測サーバに送信するために実行されるタグを含む前記ウェブコンテンツを、前記ウェブサーバから受信する端末受信処理部と、
前記端末受信処理部によって受信される前記ウェブコンテンツを表示する端末表示処理部と、
前記タグを実行し、前記端末表示処理部によって表示される前記ウェブコンテンツを前記計測サーバに送信する端末送信処理部とを具備することを特徴とする端末装置。
【請求項３】
前記端末送信処理部は、
ｈｔｍｌによって記載される前記ウェブコンテンツにおいて、ｂｏｄｙタグによって特定される情報を取得し、
前記ウェブコンテンツ内にｉｆｒａｍｅタグを記載し、
前記ｉｆｒａｍｅタグ内にｆｏｒｍタグを記載し、
前記ｆｏｒｍタグのｍｅｔｈｏｄ属性をＰＯＳＴ又はＧＥＴに設定し、
前記ｆｏｒｍタグ内に取得した前記情報を記載し、
前記ｉｆｒａｍｅタグ内の前記ｆｏｒｍタグ内に記載した前記情報を前記ＰＯＳＴ又は前記ＧＥＴに対応するコマンドによって送信し、
前記ｉｆｒａｍｅタグと前記ｉｆｒａｍｅタグ内の記載の全てを削除する請求項２に記載の端末装置。
【請求項４】
前記端末送信処理部は、
ｈｔｍｌによって記載される前記ウェブコンテンツにおいて、ｂｏｄｙタグによって特定される情報を取得し、
前記ウェブコンテンツ内にｉｆｒａｍｅタグを記載し、
前記ｉｆｒａｍｅタグ内にａタグを記載し、
前記ａタグのｈｒｅｆ属性に前記計測サーバのＵＲＬを設定し、
前記ｈｒｅｆ属性のＵＲＬパラメータに取得した前記情報を設定し、
前記ＵＲＬパラメータに設定した前記情報を前記ａタグのｍｅｔｈｏｄ属性であるＧＥＴに対応するコマンドによって送信し、
前記ｉｆｒａｍｅタグと前記ｉｆｒａｍｅタグ内の記載の全てを削除する請求項２に記載の端末装置。
【請求項５】
ウェブコンテンツをウェブサーバから受信し表示するとともに、前記ウェブコンテンツを、ウェブコンテンツの取得状況を計測する計測サーバへ送信する端末装置における通信方法であって、
前記ウェブコンテンツを前記計測サーバに送信するために実行されるタグを含む前記ウェブコンテンツを、前記ウェブサーバから受信するステップと、
前記ウェブコンテンツを表示するステップと、
前記タグを実行し、表示される前記ウェブコンテンツを前記計測サーバに送信するステップとを具備することを特徴とする通信方法。
【手続補正２】
【補正対象書類名】明細書
【補正対象項目名】００１５
【補正方法】削除
【補正の内容】
【手続補正３】
【補正対象書類名】明細書
【補正対象項目名】００１６
【補正方法】削除
【補正の内容】